(57)【要約】【課題】液晶パネル又はテンキーを有さない画像形成装置を用いてプリント出力を行う場合、セキュアプリントを実現できない。【解決手段】印刷システムは、画像形成装置と、ジョブ送信装置と、を備える。ジョブ送信装置は、複数の操作ボタンに関するボタン情報を取得するボタン情報取得手段と、ボタン情報に基づき複数の操作ボタンのアイコンを表示部に表示し、アイコンの押下によりプリントジョブのパスワードの設定を求めるパスワード設定手段と、を備える。画像形成装置は、ジョブ送信装置からのプリントジョブを留め置く留め置き手段と、複数の操作ボタンの押下によりパスワードの入力を求めるパスワード入力手段と、留め置き手段に留め置かれたプリントジョブのうち、パスワード入力手段により入力されたパスワードに一致するパスワードを備えるプリントジョブが存在する場合に、当該ジョブのプリント出力を実行するプリント出力手段と、を備える。【選択図】図１８
2019199070.tif 000002
【特許請求の範囲】
【請求項１】
ジョブの実行を指示するための指示を入力するための複数の指示部を有する画像形成装置と、
前記画像形成装置に対して認証情報が設定されたジョブを送信するジョブ送信装置と、を備え、
前記ジョブ送信装置は、
前記ジョブの指示を入力するための指示部に対する複数の指示の入力パターンに対応させてプリントジョブの認証情報を設定する認証情報設定手段を備え、
前記画像形成装置は、
前記ジョブ送信装置からのジョブを留め置く留め置き手段と、
前記複数の指示部により入力された複数の指示の入力パターンを取得する認証情報取得手段と、
前記留め置き手段に留め置かれたプリントジョブのうち、前記認証情報設定手段で設定された前記複数の指示の入力パターンと、前記認証情報取得手段で取得された前記複数の指示の入力パターンとが一致する場合に、当該ジョブを実行するジョブ処理手段と、を備える、
ことを特徴とする印刷システム。
【請求項２】
複数の操作ボタンを有し、プリント出力を行う画像形成装置と、
前記画像形成装置にパスワードが設定されたプリントジョブを送信するジョブ送信装置と、を備え、
前記ジョブ送信装置は、
前記複数の操作ボタンに関するボタン情報を取得するボタン情報取得手段と、
前記ボタン情報に基づき前記複数の操作ボタンのアイコンを表示部に表示し、前記アイコンの押下によりプリントジョブのパスワードの設定を求めるパスワード設定手段と、を備え、
前記画像形成装置は、
前記ジョブ送信装置からのプリントジョブを留め置く留め置き手段と、
前記複数の操作ボタンの押下によりパスワードの入力を求めるパスワード入力手段と、
前記留め置き手段に留め置かれたプリントジョブのうち、前記パスワード入力手段により入力されたパスワードに一致するパスワードを備えるプリントジョブが存在する場合に、当該ジョブのプリント出力を実行するプリント出力手段と、を備える、
ことを特徴とする印刷システム。
【請求項３】
前記パスワード設定手段は、前記アイコンをパスワード入力画面に表示することで、前記複数の操作ボタンの押下の順序を求める、
ことを特徴とする請求項２に記載の印刷システム。
【請求項４】
前記パスワード設定手段は、前記プリントジョブに設定するパスワードを固定長とし、前記複数の操作ボタンが前記固定長に対応した所定数だけ押下されることを条件に、当該パスワードを決定する、
ことを特徴とする請求項２又は３に記載の印刷システム。
【請求項５】
前記パスワード設定手段は、前記プリントジョブに設定するパスワードを可変長とし、前記複数の操作ボタンが所定数だけ押下され、かつ確定ボタンが押下されることを条件に、当該パスワードを決定する、
ことを特徴とする請求項２又は３に記載の印刷システム。
【請求項６】
前記ボタン情報取得手段は、前記ボタン情報を前記画像形成装置に問い合わせることにより、前記ボタン情報を前記画像形成装置から取得する、
ことを特徴とする請求項２乃至５のいずれか１項に記載の印刷システム。
【請求項７】
前記ボタン情報取得手段は、予め前記ボタン情報を備える、
ことを特徴とする請求項２乃至６のいずれか１項に記載の印刷システム。
【請求項８】
前記画像形成装置は、セキュアプリントを実行するセキュアプリントモードに移行するモード移行手段を備え、
前記セキュアプリントモードにおいて、前記パスワード入力手段及び前記プリント出力手段は、実行される、
ことを特徴とする請求項２乃至７のいずれか１項に記載の印刷システム。
【請求項９】
前記複数の操作ボタンは、コピーボタン、スキャンボタン、及びプリントボタンを含む、
ことを特徴とする請求項２乃至８のいずれか１項に記載の印刷システム。
【請求項１０】
前記複数の操作ボタンの各々は、前記画像形成装置の表示部に表示される操作ボタン、又は前記画像形成装置に物理的に付加される操作ボタンである、
ことを特徴とする請求項２乃至９のいずれか１項に記載の印刷システム。
【請求項１１】
複数の操作ボタンを有し、プリント出力を行う画像形成装置と、
前記画像形成装置にパスワードが設定されたプリントジョブを送信するジョブ送信装置と、を備え、
前記ジョブ送信装置は、
前記複数の操作ボタンに関するボタン情報を取得するボタン情報取得手段と、
前記ボタン情報に基づき、プリントジョブに設定するパスワードとして、前記複数の操作ボタンの押下の順序を自動的に決定するパスワード設定手段と、を備え、
前記画像形成装置は、
前記ジョブ送信装置からのプリントジョブを留め置く留め置き手段と、
前記複数の操作ボタンの押下によりパスワードの入力を求めるパスワード入力手段と、
前記留め置き手段に留め置かれたプリントジョブのうち、前記パスワード入力手段により入力されたパスワードに一致するパスワードを備えるプリントジョブが存在する場合に、当該ジョブのプリント出力を実行するプリント出力手段と、を備える、
ことを特徴とする印刷システム。
【請求項１２】
前記画像形成装置は、ログイン認証機能を備えず、
前記パスワード設定手段は、プリントジョブに新たに設定するパスワードとして、前記留め置き手段に留め置かれたプリントジョブに既に設定されたパスワードと重複しないパスワードを自動的に決定する、
ことを特徴とする請求項１１に記載の印刷システム。
【請求項１３】
プリント出力を行う複数の画像形成装置と、
前記複数の画像形成装置のうちの１つにパスワードが設定されたプリントジョブを送信するジョブ送信装置と、を備え、
前記複数の画像形成装置の各々は、複数の操作ボタンを有し、
前記ジョブ送信装置は、
前記複数の画像形成装置の前記複数の操作ボタンに関するボタン情報を取得するボタン情報取得手段と、
前記複数の画像形成装置のうちプリントジョブを送信する所定の画像形成装置のボタン情報に基づき、前記所定の画像形成装置の前記複数の操作ボタンのアイコンを表示部に表示し、前記アイコンの押下によりプリントジョブのパスワードの設定を求めるパスワード設定手段と、を備え、
前記複数の画像形成装置の各々は、
前記ジョブ送信装置からのプリントジョブを留め置く留め置き手段と、
前記複数の操作ボタンの押下によりパスワードの入力を求めるパスワード入力手段と、
前記留め置き手段に留め置かれたプリントジョブのうち、前記パスワード入力手段により入力されたパスワードに一致するパスワードを備えるプリントジョブが存在する場合に、当該ジョブのプリント出力を実行するプリント出力手段と、を備える、
ことを特徴とする印刷システム。
【請求項１４】
前記ボタン情報取得手段は、前記複数の画像形成装置と前記複数の操作ボタンとの関係をテーブルとして備え、
前記パスワード設定手段は、前記テーブルに基づき、前記所定の画像形成装置の前記複数の操作ボタンのアイコンを前記表示部に表示する、
ことを特徴とする請求項１３に記載の印刷システム。
【請求項１５】
前記パスワード設定手段は、前記複数の画像形成装置の前記複数の操作ボタンの全てをアイコンとして前記表示部に表示し、かつ前記所定の画像形成装置の前記複数の操作ボタンを押下可能なアクティブ状態とすることで、前記アクティブ状態の前記複数の操作ボタンの押下の順序を求める、
ことを特徴とする請求項１４に記載の印刷システム。
【請求項１６】
プリント出力を行う画像形成装置と、
セキュアプリントによりパスワードが設定されたプリントジョブを前記画像形成装置に送信するモバイル端末と、を備え、
前記モバイル端末は、
前記プリント出力を行うジョブの選択を求めると共に前記選択されたジョブが前記セキュアプリントである場合にパスワードの入力を求めるパスワード入力手段と、
前記選択されたジョブ、及び当該ジョブが前記セキュアプリントである場合に前記パスワード入力手段により入力されたパスワードを、それぞれ前記画像形成装置に送信する通信手段と、を備え、
前記画像形成装置は、
前記モバイル端末からのプリントジョブを留め置く留め置き手段と、
前記留め置き手段に留め置かれたプリントジョブのうち、前記通信手段から受信したパスワードに一致するパスワードを備えるプリントジョブが存在する場合に、当該ジョブのプリント出力を実行するプリント出力手段と、を備える、
ことを特徴とする印刷システム。
【請求項１７】
複数の操作ボタンを有し、プリント出力を行う画像形成装置と、前記画像形成装置にパスワードが設定されたプリントジョブを送信するジョブ送信装置と、を備える印刷システムの制御方法であって、
前記ジョブ送信装置が前記複数の操作ボタンに関するボタン情報を取得するボタン情報取得工程と、
前記ジョブ送信装置が、前記ボタン情報に基づき前記複数の操作ボタンのアイコンを表示部に表示し、かつ前記アイコンの押下によりプリントジョブのパスワードの設定を求めるパスワード設定工程と、
前記画像形成装置が前記ジョブ送信装置からのプリントジョブを留め置く留め置き工程と、
前記画像形成装置が前記複数の操作ボタンの押下によりパスワードの入力を求めるパスワード入力工程と、
前記画像形成装置が、前記留め置き工程で留め置かれたプリントジョブのうち、前記パスワード入力工程で入力されたパスワードに一致するパスワードを備えるプリントジョブが存在する場合に、当該ジョブのプリント出力を実行するプリント出力工程と、を備える、
ことを特徴とする制御方法。
【請求項１８】
請求項１乃至１６のいずれか１項に記載の印刷システムの各手段としてコンピュータを機能させるためのプログラム。
【発明の詳細な説明】
【技術分野】
【０００１】
本発明は、認証によるプリント出力を制御する印刷システム及びその制御方法、並びにプログラムに関する。
【背景技術】
【０００２】
ネットワークを介して接続したＰＣ（Ｐｅｒｓｏｎａｌ  Ｃｏｍｐｕｔｅｒ）からのデータをプリント出力するＭＦＰ（Ｍｕｌｔｉ  Ｆｕｎｃｔｉｏｎａｌ  Ｐｒｉｎｔｅｒ）が知られている。このようなＭＦＰは、近年、プリント指示されたデータを即時プリント出力せずにＭＦＰ内に留め置き、ユーザがＭＦＰの操作部より予め指定したパスワードを入力することでプリント出力が可能となる認証機能を備える。この認証機能は、一般的に、セキュアプリントと称される。
【０００３】
セキュアプリントでは、まず、ユーザは、ＰＣのプリンタドライバを用いて、プリントジョブに、例えば、数字列からなるパスワードを設定する。パスワードが設定された当該プリントジョブは、ＰＣからＭＦＰに送信される。次に、ユーザは、ＭＦＰの操作部を用いて、プリント出力したいジョブを選択し、かつ当該操作部が備えるテンキーを用いて、ＰＣで設定したパスワードを入力する。ＰＣで設定したパスワードとＭＦＰで入力したパスワードが一致すれば、当該ジョブをプリント出力することができる。
【０００４】
セキュアプリントは、このような認証機能により、複数のユーザでＭＦＰを共有する場合でも、自分のプリント出力を他人に見られたり、又は持っていかれたりすることない、という特徴を有する。その結果、セキュリティが確保されたプリント出力が可能となる。また、プリント指示されたジョブデータは、ＭＦＰ内に一時的に留め置かれるため、ユーザは、その後、プリント出力が不要になったジョブを取り消すことで、無駄な印刷を極力なくすことができるという効果も有する。
【先行技術文献】
【特許文献】
【０００５】
【特許文献１】特開２００９−２９８０９０号公報
【特許文献２】特開２０１５−５６７８９号公報
【発明の概要】
【発明が解決しようとする課題】
【０００６】
近年、スマートフォンなどのモバイル端末と連携動作し、ユーザの利便性を高めるＭＦＰが普及している。このようなＭＦＰのなかには、モバイル端末からの操作を前提とすることで、操作部が液晶パネル又はテンキーなどのボタン（液晶パネルに表示されるボタンを含む）を有さない場合も存在する。この場合、このような液晶パネル又はテンキーなどのボタンを有さないＭＦＰに送信されたプリントジョブは、当該ＭＦＰのジョブ実行キーを押下することで実行される。しかし、当該ＭＦＰは、液晶パネル又はテンキーなどのボタンを有さないため、パスワードの入力が行えず、結果として、セキュアプリントを行うことができない。
【０００７】
特許文献１は、ＭＦＰの操作部に備えられたテンキーを用いてパスワードを入力し、セキュアプリントを行う技術を開示する。しかし、特許文献１の技術では、ＭＦＰの操作部に備えられたテンキーを用いてパスワードを入力するため、このようなテンキーを有さないＭＦＰには適用できない問題がある。また、特許文献２は、パスワードの入力を短縮番号の入力で代替し、ユーザの利便性を向上させる技術を開示する。しかし、特許文献２の技術でも、短縮番号の入力は、ＭＦＰの操作部に備えられたテンキーを用いて行われる。従って、引用文献２の技術も、テンキーを有さないＭＦＰには適用できない問題がある。
【０００８】
本発明は、少なくともテンキーを有さない操作部を備える画像形成装置と、当該画像形成装置にプリントジョブを送信するジョブ送信装置と、を備える印刷システムにおいて、セキュアプリントを実現する技術を提案することを目的とする。
【課題を解決するための手段】
【０００９】
本発明の一実施形態の印刷システムは、ジョブの実行を指示するための指示を入力するための複数の指示部を有する画像形成装置と、前記画像形成装置に対して認証情報が設定されたジョブを送信するジョブ送信装置と、を備える。前記ジョブ送信装置は、前記ジョブの指示を入力するための指示部に対する複数の指示の入力パターンに対応させてプリントジョブの認証情報を設定する認証情報設定手段を備える。前記画像形成装置は、前記ジョブ送信装置からのジョブを留め置く留め置き手段と、前記複数の指示部により入力された複数の指示の入力パターンを取得する認証情報取得手段と、前記留め置き手段に留め置かれたプリントジョブのうち、前記認証情報設定手段で設定された前記複数の指示の入力パターンと、前記認証情報取得手段で取得された前記複数の指示の入力パターンとが一致する場合に、当該ジョブを実行するジョブ処理手段と、を備える。
【発明の効果】
【００１０】
本発明によれば、少なくともテンキーを有さない操作部を備える画像形成装置と、当該画像形成装置にプリントジョブを送信するジョブ送信装置と、を備える印刷システムにおいて、セキュアプリントを実現することができる。
【図面の簡単な説明】
【００１１】
【図１】印刷システムを示す構成図である。
【図２】画像形成装置を示す構成図である。
【図３】画像形成装置の操作部を示す構成図である。
【図４】画像形成装置の操作部のレイアウトを示す図である。
【図５】モバイル端末を示す構成図である。
【図６】ジョブ送信装置が実行するフローチャート。
【図７】ジョブ送信装置の表示部に表示される画面を示す図である。
【図８】ジョブ送信装置が実行するフローチャート。
【図９】画像形成装置内に留め置かれたジョブ情報を示す図である。
【図１０】ジョブ送信装置の表示部に表示される画面を示す図である。
【図１１】プリント出力を実行する留め置きジョブ情報を示す図である。
【図１２】画像形成装置が実行するフローチャートである。
【図１３】画像形成装置の操作部のレイアウトを示す図である。
【図１４】パスワードに使用可能なボタン情報を示す図である。
【図１５】プリンタドライバの操作画面を示す図である。
【図１６】ジョブ送信装置が実行するフローチャート。
【図１７】パスワード設定画面を示す図である。
【図１８】画像形成装置が実行するフローチャート。
【発明を実施するための形態】
【００１２】
本発明の実施形態について図面を用いて説明する。
以下では、液晶パネル又はテンキーを有さない操作部を備える画像形成装置を用いてセキュアプリントによるプリント出力を行う場合に、どのようにしてプリントジョブにパスワードを設定するかについて説明する。
【００１３】
ここで、本発明では、画像形成装置の種類は、特に限定されないが、以下の説明では、印刷装置などのＭＦＰを前提とする。また、当該画像形成装置にプリントジョブを送信するジョブ送信装置についても、特に限定されないが、以下の説明では、ＰＣ、モバイル端末などの電子機器を前提とする。さらに、これらを備える印刷システムにおいて、画像形成装置の数及びジョブ送信装置の数も、以下に説明する実施例に限定されるものではない。
【００１４】
・  印刷システムの構成例
図１は、印刷システムを示す。
１０１は、画像形成装置であって、ＬＡＮ（Ｌｏｃａｌ  Ａｒｅａ  Ｎｅｔｗｏｒｋ）１０４上の他の機器と通信する。１０２は、ＰＣであって、ＬＡＮ１０４を介して画像形成装置１０１と通信する。ＰＣ１０２は、物理的なケーブルによってＬＡＮ１０４に接続されてもよいし、アクセスポイント１０３と無線通信することでＬＡＮ１０４に接続されてもよい。
【００１５】
１０３は、アクセスポイントであって、ＬＡＮ１０４とＰＣ１０２とを無線通信で相互に接続する。無線通信は、ＩＥＥＥ８０２．１１ａ／ｂ／ｇ／ｎ／ａｃなどのいわゆるＷｉ―Ｆｉ（登録商標）やＢｌｕｅｔｏｏｔｈ（登録商標）などであってもよい。１０４は、ＬＡＮであって、画像形成装置１０１、ＰＣ１０２、及びアクセスポイント１０３を相互接続し、かつこれらの間での通信を可能にする。この通信において、物理層及びリンク層は、Ｅｔｈｅｒｎｅｔを利用するのが一般的である。
【００１６】
１０５は、モバイル端末であって、アクセスポイント１０３を介してＬＡＮ１０４に接続され、画像形成装置１０１と通信する。モバイル端末１０５は、画像形成装置１０１と連携するアプリケーション・ソフトウェアを備える。アプリケーション・ソフトウェアは、スキャン動作、コピー動作などの各種動作の設定を行い、かつその設定に基づいて画像形成装置１０１と連携した動作を行う。
【００１７】
この印刷システムは、セキュアプリント機能を備えたシステムである。画像形成装置１０１は、複数の操作ボタンを有し、パスワードが設定されたプリントジョブに対してプリント出力を行うことが可能である。複数の操作ボタンは、コピーを実行するためのコピーボタン、スキャンを実行するためのスキャンボタン、プリントを実行するためのプリントボタンなどを含む。複数の操作ボタンの各々は、画像形成装置１０１の表示部（液晶パネルなど）に表示される操作ボタンでもよいし、又は画像形成装置１０１に物理的に付加される操作ボタンでもよい。ＰＣ１０２及びモバイル端末１０５は、ジョブ送信装置として機能し、画像形成装置１０１にパスワードが設定されたプリントジョブを送信する。
【００１８】
画像形成装置１０１は、ジョブ送信装置としてのＰＣ１０２又はモバイル端末１０５からのパスワードが設定されたプリントジョブを留め置く留め置き部を備える。留め置き部は、後述するように、ＣＰＵにより実現される。また、画像形成装置１０１は、ユーザに対して複数の操作ボタンの押下によりパスワードの入力を求めるパスワード入力部を備える。パスワード入力部も、後述するように、ＣＰＵにより実現される。
【００１９】
さらに、画像形成装置１０１は、プリント出力部を備える。プリント出力部も、後述するように、ＣＰＵにより実現される。プリント出力部は、パスワード入力部により入力されたパスワードが、プリント出力が指定されたプリントジョブに設定されたパスワードと一致する場合に、プリント出力を実行する。
【００２０】
一方、ジョブ送信装置としてのＰＣ１０２及びモバイル端末１０５は、ボタン情報取得部と、パスワード設定部と、を備える。これらボタン情報取得部及びパスワード設定部は、例えば、ＰＣ１０２及びモバイル端末１０５内にインストールされるプリンタドライバにより実現される。
【００２１】
ボタン情報取得部は、画像形成装置１０１の複数の操作ボタンに関するボタン情報を取得する。ボタン情報取得部は、ボタン情報を画像形成装置１０１に問い合わせることにより、当該画像形成装置１０１のボタン情報を取得する。これに代えて、ボタン情報取得部は、予め、プリンタドライバ内に画像形成装置１０１のボタン情報を備えていてもよい。
【００２２】
パスワード設定部は、ボタン情報取得部により取得したボタン情報に基づき、ユーザに対して、プリントジョブに設定するパスワードとして、複数の操作ボタンの押下の順序を求める。パスワード設定部は、後述するように、複数の操作ボタンをアイコンとして表示部に表示することで、ユーザに複数の操作ボタンの押下の順序を求める。
【００２３】
パスワード設定部は、プリントジョブに設定するパスワードを固定長とし、複数の操作ボタンが固定長に対応した所定数だけ押下されることを条件に、当該パスワードを決定する。但し、パスワード設定部は、プリントジョブに設定するパスワードを可変長とし、複数の操作ボタンが所定数だけ押下され、かつ確定ボタンが押下されることを条件に、当該パスワードを決定してもよい。
【００２４】
画像形成装置１０１は、プリント出力が指定されたプリントジョブにパスワードが設定されている場合に、セキュアプリントモードに移行するモード移行部を備えていてもよい。この場合、セキュアプリントモードにおいて、パスワード入力手段及びプリント出力手段は、実行される。
【００２５】
尚、ジョブ送信装置としてのＰＣ１０２及びモバイル端末１０５において、パスワード設定部は、ボタン情報取得部により取得したボタン情報に基づき、プリントジョブに設定するパスワードとして、複数の操作ボタンの押下の順序を自動的に決定してもよい。
【００２６】
パスワードを自動的に決定する機能は、画像形成装置１０１がログイン認証機能を備えていない場合に有効である。即ち、ログイン認証機能が無い場合、複数のユーザからの複数のプリントジョブが１つの画像形成装置１０１内に留め置かれると、複数のユーザが設定したパスワード同士が重複することがあるからである。パスワードを自動的に決定する機能は、プリントジョブに新たに設定するパスワードとして、留め置き手段に留め置かれたプリントジョブに既に設定されたパスワードと重複しないパスワードを自動的に決定することで、このような重複を防止できる。
【００２７】
また、印刷システムが複数の画像形成装置を備える場合、後述するように、ボタン情報取得部は、複数の画像形成装置と各画像形成装置が有する複数の操作ボタンとの関係をテーブルとして備えてもよい。この場合、パスワード設定部は、当該テーブルに基づき、プリントジョブを送信する印刷指定された所定の画像形成装置の複数の操作ボタンを表示部に表示し、かつユーザに対して当該複数の操作ボタンの押下の順序を求める。
【００２８】
例えば、パスワード設定部は、複数の画像形成装置の複数の操作ボタンの全てをアイコンとして表示部に表示し、かつ印刷指定された所定の画像形成装置の複数の操作ボタンを押下可能なアクティブ状態とすることができる。ここで、アイコンが押下可能なアクティブ状態であるか否かは、アイコンを点灯させたり、色、形などを変えたりすることで、ユーザに認識させることが可能である。この場合、ユーザは、アクティブ状態の複数の操作ボタンの押下により、パスワードを容易に設定できる。
【００２９】
また、画像形成装置１０１は、ジョブの実行を指示するための指示を入力するための複数の指示部を有していてもよい。この複数の指示部は、例えば、上述の複数の操作ボタンにより実現される。ジョブ送信装置としてのＰＣ１０２又はモバイル端末１０５は、画像形成装置１０１に対して認証情報が設定されたジョブを送信する。
【００３０】
そして、ジョブ送信装置としてのＰＣ１０２又はモバイル端末１０５は、ジョブの指示を入力するための指示部に対する複数の指示の入力パターンに対応させてプリントジョブの認証情報（パスワード）を設定する。
【００３１】
また、画像形成装置１０１は、認証情報取得部と、ジョブ処理部と、を備える。認証情報取得部は、複数の指示部を用いてユーザにより入力された複数の指示の入力パターンを取得する。ジョブ処理部は、留め置き部に留め置かれたプリントジョブのうち、認証情報設定部で設定された複数の指示の入力パターンと、認証情報取得部で取得された複数の指示の入力パターンとが一致する場合に、当該ジョブを実行する。
【００３２】
本発明によれば、少なくともテンキーを有さない操作部を備える画像形成装置と、当該画像形成装置にプリントジョブを送信するジョブ送信装置と、を備える印刷システムにおいて、セキュアプリントを実現することができる。即ち、ユーザは、ＰＣ、モバイル端末などのジョブ送信装置において、プリンタドライバにより、当該画像形成装置の操作部に備えられたボタンを利用して、プリントジョブにパスワードを設定できる。
【００３３】
この場合、パスワードが設定された当該プリントジョブは、プリンタドライバにより、ジョブ送信装置から画像形成装置に送信される。一方、ユーザは、画像形成装置において、操作部に備えられた操作ボタンによりパスワードを入力できる。従って、画像形成装置は、入力されたパスワードと一致するパスワードを備えるセキュアプリントジョブが存在する場合には、当該ジョブをプリント出力することができる。
【００３４】
このように、本発明によれば、少なくともテンキーを有さない操作部を備える画像形成装置と、当該画像形成装置にプリントジョブを送信するジョブ送信装置と、を備える印刷システムにおいて、セキュアプリントを実現することができる。
【００３５】
図２は、画像形成装置を示す。
２０１は、ＣＰＵ（Ｃｅｎｔｒａｌ  Ｐｒｏｃｅｓｓｉｎｇ  Ｕｎｉｔ）であって、画像形成装置１０１全体を制御する。２０２は、ＤＲＡＭ（Ｄｙｎａｍｉｃ  Ｒａｎｄｏｍ  Ａｃｃｅｓｓ  Ｍｅｍｏｒｙ）であって、ＣＰＵ２０１で実行されるプログラムを記憶すると共に、データの一時的なワークエリアとして機能する。
【００３６】
２０３は、操作部であって、シリアルＩ／Ｆ２１３を介してＣＰＵ２０１にユーザによる操作を通知する。２０４は、ネットワークＩ／Ｆであって、ＬＡＮ１０４と接続されることで、外部機器と通信を行う。２０５は、プリンタ部であって、画像データを紙面上に印字する。２０６は、スキャナ部であって、紙面上の画像を光学的に読み取り、電気信号に変換し、かつスキャン画像を生成する。２０７は、ＦＡＸ（ファックス）であって、公衆回線２１０と接続されることで、外部機器とファクシミリ通信を行う。２０８は、ＨＤＤ（Ｈａｒｄ  Ｄｉｓｋ  Ｄｒｉｖｅ）であって、ＣＰＵ２０１で実行されるプログラムを記憶すると共に、プリントジョブ、スキャンジョブなどのスプール領域としても利用される。２０９は、信号バスであって、各モジュールを相互に接続することで、それらの間での通信を可能とする。２１０は、公衆回線であって、ＦＡＸ２０７と外部機器とを相互接続する。
【００３７】
２１１は、画像処理部であって、ネットワークＩ／Ｆ２０４で受信したプリントジョブをプリンタ部２０５で印刷するのに適した画像に変換する変換処理を行う。また、画像処理部２１１は、スキャナ部２０６で読み取ったスキャン画像のノイズ除去、色空間変換、回転、圧縮などの処理も実行する。２１２は、ＦＬＡＳＨ  ＲＯＭ（ＦＬＡＳＨ  Ｒｅａｄ  Ｏｎｌｙ  Ｍｅｍｏｒｙ）であって、ＣＰＵ２０１で実行されるプログラムを記憶する。また、ＦＬＡＳＨ  ＲＯＭ２１２は、画像形成装置１０１のデフォルト設定値、ユーザごとのデフォルト設定値、一時的なカスタム設定値など（これらをまとめて「デフォルト設定値」と称する）を記憶する。２１３は、シリアルＩ／Ｆであって、操作部２０３と信号バス２０９とを相互接続する。
【００３８】
図３は、画像形成装置の操作部を示す。
この操作部２０３は、液晶パネル又はテンキーを有さない、いわゆる簡易操作部である。
【００３９】
３０１は、コピーボタンである。コピーボタン３０１がユーザにより押下されると、その押下がボタン検知部３１０により検知される。３０２は、スキャンボタンである。スキャンボタン３０２がユーザにより押下されると、その押下がボタン検知部３１０により検知される。３０３は、プリントボタンである。プリントボタン３０３がユーザにより押下されると、その押下がボタン検知部３１０により検知される。
【００４０】
３０４は、モバイルボタンである。モバイルボタン３０４がユーザにより押下されると、その押下がボタン検知部３１０により検知される。３０５は、中止ボタンである。中止ボタン３０５がユーザにより押下されると、その押下がボタン検知部３１０により検知される。３０６は、終了／ログアウトボタンである。終了／ログアウトボタン３０６がユーザにより押下されると、その押下がボタン検知部３１０により検知される。
【００４１】
３１０は、ボタン検知部である。ボタン検知部３１０は、各ボタンのオン（押下）／オフ（非押下）の状態を検知し、かつその検知結果を、操作部Ｉ／Ｆ３４０、シリアルＩ／Ｆ２１３を介してＣＰＵ２０１に通知する。
【００４２】
３３１は、コピーＬＥＤであって、ＬＥＤ制御部３２０により点灯制御される。コピーＬＥＤ３３１は、コピーボタン３０１を点灯する。３３２は、スキャンＬＥＤであって、ＬＥＤ制御部３２０により点灯制御される。スキャンＬＥＤ３３２は、スキャンボタン３０２を点灯する。３３３は、プリントＬＥＤであって、ＬＥＤ制御部３２０により点灯制御される。プリントＬＥＤ３３３は、プリントボタン３０３を点灯する。３３４は、モバイルＬＥＤであって、ＬＥＤ制御部３２０により点灯制御される。モバイルＬＥＤ３３４は、モバイルボタン３０４を点灯する。３３５は、ステータスＬＥＤであって、ＬＥＤ制御部３２０により点灯制御される。ステータスＬＥＤ３３５は、中止ボタン３０５を点灯する。３３６は、終了／ログアウトＬＥＤであって、ＬＥＤ制御部３２０により点灯制御される。終了／ログアウトＬＥＤ３３６は、終了／ログアウトボタン３０６を点灯する。
【００４３】
これらのＬＥＤ３３１〜３３６は、ＣＰＵ２０１の制御の下、パスワード設定部によるパスワードの入力時に、選択的にオン（点灯）／オフ（消灯）させてもよい。例えば、複数の操作ボタン３０１〜３０６のうち、パスワードの入力が可能な操作ボタンを点灯させ、ユーザに、点灯状態の操作ボタンを用いてパスワードの入力を求めることができる。
【００４４】
３４０は、操作部Ｉ／Ｆであって、ＣＰＵ２０１から制御命令を受信し、かつ操作部２０３内の各部に信号を転送する。３５０は、カードＩ／Ｆであって、アンテナ３５１により非接触カードからの信号を検知すると、その旨を割り込み処理によりＣＰＵ２０１に通知する。また、カードＩ／Ｆ３５０は、非接触カードの情報を読み取り、かつＤＲＡＭ２０２に書き込む。３５１は、アンテナであって、非接触カードと電磁的に結合し、かつ無線による通信を行う。
【００４５】
非接触カードは、ＮＦＣ（Ｎｅａｒ  Ｆｉｅｌｄ  Ｒａｄｉｏ  Ｃｏｍｍｕｎｉｃａｔｉｏｎ）などである。非接触カードの情報は、例えば、リーダ・ライタモードにより読み出される。非接触カードの情報は、カード製造時に記録され、かつ書き換えが不可能な固有ＩＤ番号を含む。カードＩ／Ｆ３５０は、この固有ＩＤ番号をＣＰＵ２０１に通知し、ＣＰＵ２０１は、ＨＤＤ２０８に記憶されたデータベースに基づき、固有ＩＤ番号に紐づけられるユーザ識別番号、メールアドレス、各操作のお気に入り設定などを参照してもよい。
【００４６】
尚、データベースは、例えば、ＬＡＮ１０４に接続されるサーバ（不図示）の記憶部に記憶されてもよい。この場合も、非接触カードの情報は、リーダ／ライタモードにより読み出されてもよいし、ＣＰＵ２０１は、当該データベースに基づき、固有ＩＤ番号に紐づけられるユーザ識別番号などを参照してもよい。
【００４７】
３６０は、ＮＦＣタグである。ＮＦＣタグ３６０は、記憶部（不図示）を有し、ＣＰＵ２０１からの各種データは、当該記憶部に書き込まれる。また、ＮＦＣタグ３６０の記憶部に書き込まれた各種データは、例えば、モバイル端末１０５内のＮＦＣリーダによって読み取られる。各種データは、ＷＩＦＩハンドオーバーを行うために必要なネットワーク情報であり、例えば、画像形成装置１０１のＩＰアドレス、ＷＩＦＩ  Ｄｉｒｅｃｔに必要なＳＳＩＤなどである。
【００４８】
３７０は、音声制御部である。音声制御部３７０は、ＣＰＵ２０１から操作部Ｉ／Ｆ３４０を介して信号を受信し、かつスピーカ３７１を制御する。例えば、音声制御部３７０は、画像形成装置１０１におけるボタン制御方法（パスワードの入力方法を含む）を音声ガイダンスする。また、音声制御部３７０は、エラーが発生した場合に、その旨を示す警告音をスピーカ３７１から出力し、ユーザに伝えることもできる。３７１は、スピーカであって、音声制御部３７０からの制御信号に基づき、音を出力する。３８０は、操作部２０３の内部信号バスである。
【００４９】
図４は、画像形成装置の操作部のレイアウトを示す。
本例は、画像形成装置１０１の操作部２０３が画像形成装置１０１に物理的に付加される操作パネルである場合の例である。但し、既に述べたように、操作部２０３の一部は、液晶パネルなどの表示部であってもよい。
【００５０】
４０１は、非接触カード又はモバイル端末との通信領域を示すＮＦＣ通信領域である。ＮＦＣ通信領域４０１は、その背後にアンテナ３５１及びＮＦＣタグ３６０を備える。ユーザがＮＦＣ通信領域４０１の近傍に非接触カードを配置すると、非接触カードとカードＩ／Ｆ３５０がアンテナ３５１を介して通信を行うため、非接触カードの情報の読み書きが可能となる。同様に、ユーザがＮＦＣ通信領域４０１の近傍にモバイル端末を配置すると、モバイル端末は、ＮＦＣタグ３６０に書き込まれたネットワーク情報を読み取ることが可能となる。
【００５１】
３０１〜３０３は、各種ジョブ（コピー、スキャン、プリント）のユーザによる実行指示を可能にするためのボタンである。即ち、ユーザがコピーボタン３０１を押下すると、コピーの実行指示が受け付けられる。また、ユーザがスキャンボタン３０２を押下すると、スキャンの実行指示が受け付けられ、ユーザがプリントボタン３０３を押下すると、プリントの実行指示が受け付けられる。
【００５２】
３０４は、ユーザによってネットワーク情報の通知指示を行うためのモバイルボタンである。通知方法は、図示しないディスプレイにネットワーク情報を表示してもよいし、印刷によってネットワーク情報を通知してもよい。３０５は、ユーザによって画像形成装置１０１に投入されたジョブの中止指示を行うための中止ボタンである。３０６は、ユーザによって、パスワードの入力操作の終了を行い、又は画像形成装置１０１からのログアウトの指示を行うための終了／ログアウトボタンである。
【００５３】
３３１〜３３３は、各種ジョブ（コピー、スキャン、プリント）が実行可能な状態であるか否かを表すＬＥＤである。例えば、コピーＬＥＤ３３１が点灯しているときは、コピージョブが実行可能であることを示す。また、スキャンＬＥＤ３３２が点灯しているときは、スキャンジョブが実行可能であることを示し、プリントＬＥＤ３３３が点灯しているときは、プリントジョブが実行可能であることを示す。
【００５４】
３３４は、画像形成装置１０１にモバイル端末の接続を促すためのＬＥＤである。３３５は、画像形成装置１０１のステータスを通知するＬＥＤである。即ち、ステータスＬＥＤ３３５の点灯色を変化可能とすることで、ユーザは、ステータスＬＥＤ３３５の点灯色に基づき、画像形成装置１０１のステータスを把握できる。例えば、ステータスＬＥＤ３３５が緑色に点灯する場合は、正常状態とし、赤色に点灯する場合は、異常状態とすることで、ユーザに正常／異常状態を通知できる。
【００５５】
・  第１の実施例
＜モバイル端末からのプリントジョブ送信＞
図５乃至図１２を用いて、モバイル端末から画像形成装置にセキュアプリントジョブを投入し、かつモバイル端末から画像形成装置にセキュアプリントジョブのプリント出力を指示する処理を説明する。
【００５６】
図５は、モバイル端末を示す。
ＣＰＵ５０１は、モバイル端末１０５全体を制御する中央演算ユニットである。ＲＯＭ５０２は、ＣＰＵ５０１が使用するプログラム、画像データなどを画像形成装置１０１と連携して動作させるためのアプリケーションを記憶する。ＲＡＭ５０３は、ＣＰＵ５０１が演算に用いるデータを一時的に記憶するためのワークメモリである。
【００５７】
操作部５０４は、タッチパネル操作に対応する液晶パネルなどの表示部であり、ユーザがモバイル端末１０５に対して情報の入出力を行うためのものである。例えば、ユーザは、操作部５０４を操作することで、モバイル端末１０５から画像形成装置１０１にプリントジョブを投入する操作に係るアプリケーションの設定や実行を行うことができる。
【００５８】
通信部５０５は、アンテナを内蔵することで、無線ＬＡＮアクセスポイントを介して、画像形成装置１０１と無線通信を行う。近距離無線通信部５０６は、画像形成装置１０１などの外部装置と近距離の無線通信に係る制御を行う。例えば、近距離無線通信部５０６は、ＮＦＣによる近距離無線通信を介して画像形成装置１０１の無線ＬＡＮ接続情報を取得し、無線接続する。電源制御部５０７は、モバイル端末１０５内の電源管理を行い、モバイル端末１０５内の処理モジュールの全て、又は一部に電源を供給する。
【００５９】
図６は、ジョブ送信装置が実行するフローチャートを示す。
このフローチャートは、ユーザがモバイル端末１０５を用いてプリントしたい文書ファイルを選択し、かつ選択された文書ファイルがセキュアプリントジョブとして画像形成装置に送信される場合のフローチャートである。
【００６０】
このフローチャートに示す処理は、特記無き場合は、モバイル端末１０５のＲＯＭ５０２内に予め記憶されているプログラムをＣＰＵ５０１がＲＡＭ５０３に展開して実行するものとする。また、このフローチャートは、モバイル端末１０５内に予めインストールされる画像形成装置１０１と連携動作するためのアプリケーションを起動後、操作部５０４にジョブ選択画面を表示するときに開始するものとする。
【００６１】
まず、ステップＳ６０１で、操作部５０４にジョブ選択画面を表示する。ユーザは、この画面で画像形成装置１０１に対して行うジョブを指定できる。ここで、ジョブ選択画面の例を図７（Ａ）に示す。図７（Ａ）において、画面７００は、プリント７０１、スキャン、ＦＡＸ（ファックス）、及び、ＳＥＮＤ（送信）、の各ジョブを選択する選択ボタンを備える。ユーザは、所望のジョブに対応する選択ボタンを押下することで、各ジョブの設定及び実行へと進むことができる。
【００６２】
次に、ステップＳ６０２、Ｓ６０３で、ユーザがジョブを選択したこと、及び、選択したジョブが何であるかを検出する。本実施例では、図７（Ａ）の画面７００において、プリント７０１の選択ボタンが押下されたか否かを検出する。プリント７０１の選択ボタンが押下された場合には、ステップＳ６０４に進み、プリント７０１の選択ボタンが押下されていない場合には、ステップＳ６１１に進む。
【００６３】
次に、ステップＳ６０４で、操作部５０４にプリントジョブ選択画面を表示する。ここで、プリントジョブ選択画面の例を図７（Ｂ）に示す。図７（Ｂ）において、画面７１０は、プリント送信７１１、及び、プリント出力７１２の選択ボタンを備える。プリント送信７１１は、プリントジョブを画像形成装置１０１に投入し、かつ留め置く処理である。また、プリント出力７１２は、画像形成装置１０１内に留め置かれたプリントジョブを出力する処理である。
【００６４】
次に、ステップＳ６０５で、図７（Ｂ）の画面７１０において、ユーザがプリント送信７１１の選択ボタンを押下したか否かを検出する。プリント送信７１１の選択ボタンが押下された場合には、ステップＳ６０６に進み、プリント送信７１１の選択ボタンが押下されていない場合には、ステップＳ６１１に進む。
【００６５】
次に、ステップＳ６０６で、操作部５０４にプリント設定画面を表示する。ここで、プリント設定画面の例を図７（Ｃ）に示す。図７（Ｃ）において、画面７２０は、プリントジョブを画像形成装置１０１内に留め置く際に必要となる、出力プリンタ７２１、出力方法７２２、及び、その他の各種設定を行う選択ボタンを備える。例えば、ユーザは、出力方法７２２をセキュアプリントに設定した後に、確定ボタン７２３を押下し、プリント設定を確定することができる。
【００６６】
次に、ステップS６０７で、図７（Ｃ）の画面７２０において、ユーザが出力方法７２１にセキュアプリントを設定したか否かを検出する。セキュアプリントが設定された場合には、ステップＳ６０８に進み、セキュアプリントが設定されていない場合には、ステップＳ６１０に進む。
【００６７】
次に、ステップＳ６０８で、操作部５０４にセキュアプリント設定画面を表示する。ここで、セキュアプリント設定画面の例を図７（Ｄ）に示す。図７（Ｄ）において、画面７３０は、セキュアプリントジョブの属性表示、及び、パスワード７３１を入力するテキストボックスを備える。パスワード７３１は、画像形成装置１０１でセキュアプリントジョブを出力するときに使用するもので、例えば、０から９の数字の組み合わせで構成される。
【００６８】
次に、ステップＳ６０９で、図７（Ｄ）の画面７３０において、ユーザがセキュアプリント設定を完了したか否かを検出する。パスワード７３１が入力され、かつ確定ボタン７３２が押下された場合には、ユーザによるセキュアプリント設定が完了したと判断し、ステップＳ６１０に進む。そうでない場合には、セキュアプリント設定が完了していないと判断し、ステップＳ６０９に待機する。
【００６９】
最後に、ステップＳ６１０で、図７（Ｃ）の画面７２０内の出力プリンタ７２１で指定した画像形成装置１０１に対して、プリントジョブを各種設定情報と合わせて送信した後に、このフローチャートを終了する。
【００７０】
尚、ステップＳ６０３で、プリント７０１の選択ボタンが押下されなかった場合、及びステップＳ６０５で、プリント送信７１１の選択ボタンが押下されなかった場合には、ステップＳＴ６１１が実行される。ステップＳ６１１では、操作部５０４に他の処理設定画面を表示する。ユーザは、その画面を用いて所定の操作を行うことで、ステップＳ６１２において、他の処理が実行される。
【００７１】
＜モバイル端末からのセキュアプリント出力指示＞
図８は、ジョブ送信装置が実行するフローチャートを示す。
このフローチャートは、ユーザがモバイル端末１０５を用いてプリント出力したい文書ファイルを選択し、かつ選択された文書ファイルを画像形成装置からプリント出力する場合のフローチャートである。
【００７２】
モバイル端末１０５は、図６のフローにより印刷指定された画像形成装置１０１と予め無線接続されているものとする。また、このフローチャートに示す処理は、特記無き場合は、モバイル端末１０５のＲＯＭ５０２内に予め記憶されているプログラムをＣＰＵ５０１がＲＡＭ５０３に展開して実行するものとする。
【００７３】
また、このフローチャートは、モバイル端末１０５内に予めインストールされる画像形成装置１０１と連携動作するためのアプリケーションを起動後、ユーザ操作により、接続処理開始状態、かつＮＦＣタグ読み取り可能状態で開始されるものとする。
【００７４】
まず、ステップＳ８０１で、画像形成装置１０１の操作部２０３が備えるＮＦＣタグ３６０と近接無線通信が確立されているか否かを判定する。例えば、ＮＦＣ通信は、ユーザがモバイル端末１０５を操作部２０３のＮＦＣ通信領域４０１に近接させることで確立する。近接無線通信が確立されると、ステップＳ８０２に進む。
【００７５】
次に、ステップＳ８０２で、ＮＦＣタグ３６０からハンドオーバー情報を読み取る。ここで、ハンドオーバー情報とは、モバイル端末１０５が画像形成装置１０１と無線ＬＡＮ接続されるのに必要な情報のことである。ハンドオーバー情報は、画像形成装置１０１のＣＰＵ２０１により予めＮＦＣタグ３６０内に設定されている。
【００７６】
次に、ステップＳ８０３で、ハンドオーバー情報に基づき無線通信接続を開始し、かつその結果に基づき無線接続が確立されているか否かを判定する。例えば、モバイル端末１０５は、ハンドオーバー情報に基づき、アクセスポイント１０３経由で画像形成装置１０１に対して無線接続に係る要求、及び応答の各処理を行い、その結果に基づき、無線接続が確立されているか否かを判定する。無線接続が確立されると、ステップＳ８０４に進む。
【００７７】
次に、ステップＳ８０４で、モバイル端末１０５の操作部５０４にジョブ選択画面を表示する。ジョブ選択画面は、既に説明したように、例えば、図７（Ａ）の画面７００である。画面７００において、ユーザがプリント７０１の選択ボタンを押下すると、ステップＳ８０５及びＳ８０６で、プリントジョブが選択されたこととなり、ステップＳ８０７に進む。
【００７８】
次に、ステップＳ８０７で、モバイル端末１０５の操作部５０４にプリントジョブ選択画面を表示する。プリントジョブ選択画面は、既に説明したように、例えば、図７（Ｂ）の画面７１０である。画面７１０において、ユーザがプリント出力７１２の選択ボタンを押下すると、ステップＳ８０８で、プリント出力が選択されたこととなり、ステップＳ８０９に進む。
【００７９】
次に、ステップＳ８０９で、ステップＳ８０３で無線接続された画像形成装置１０１に対して、当該画像形成装置１０１内に留め置かれているプリントジョブ情報（留め置きジョブ情報）の問い合わせを行う。
【００８０】
ここで、留め置きジョブ情報の例を図９に示す。留め置きジョブ情報９００は、予め画像形成装置１０１内に留め置かれたプリントジョブの一覧を示す情報のことである。各ジョブは、属性情報として、出力ファイル名であるジョブ名と、ジョブ投入ユーザを示すユーザ名と、通常プリント又はセキュアプリントを示すジョブ種類と、を備える。さらに、ジョブ種類がセキュアプリントの場合、留め置きジョブ情報は、プリントジョブに設定されたパスワード情報９０１を含む。
【００８１】
次に、ステップＳ８１０で、ステップＳ８０３で無線接続された画像形成装置１０１から留め置きジョブ情報を全て取得したか否かを判定する。留め置きジョブ情報が全て所得された場合には、ステップＳ８１１に進む。
【００８２】
次に、ステップＳ８１１で、操作部５０４に出力ジョブ選択画面を表示する。出力ジョブ選択画面の例を図１０（Ａ）に示す。図１０（Ａ）において、画面１０００は、留め置きジョブ情報９００に基づき、画像形成装置１０１が留め置くプリントジョブの一覧を示す表示１００１を備える。この場合、ユーザは、プリント出力を所望するジョブの行を押下することで、プリント出力の対象となるプリントジョブを選択できる。ここでは、ユーザは、セキュアプリントジョブ１００２を選択するものとする。
【００８３】
次に、ステップＳ８１２で、出力ジョブが確定したか否かを判定する。例えば、出力ジョブ選択画面１０００において、いずれかのジョブが選択され、かつ確認ボタン１００３の押下が検出された場合には、出力ジョブが確定したものと判定する。出力ジョブが確定したら、ステップＳ８１３に進む。
【００８４】
次に、ステップＳ８１３で、確定した出力ジョブがセキュアプリントであるか否かを判定する。確定した出力ジョブがセキュアプリントである場合には、ステップＳ８１４に進み、操作部５０４にパスワード入力画面を表示する。パスワード入力画面の例を図１０（Ｂ）及び図１０（Ｃ）に示す。
【００８５】
図１０（Ｂ）において、画面１０１０は、画面１０００で出力指定したセキュアプリントジョブ１００２の属性表示部、及びパスワードを入力するテキストボックス１０１１を備える。ユーザは、パスワード入力テキストボックス１０１１を押下し、かつ図１０（Ｃ）の画面１０２０に示すモバイル端末のソフトキー１０２１を用いてパスワードを入力する。
【００８６】
次に、ステップＳ８１５で、パスワードが確定したか否かを判定する。例えば、テキストボックス１０１１にパスワードが入力され、かつ確定ボタン１０１３の押下が検出された場合には、パスワードが確定されたと判定する。ステップＳ８１３でセキュアプリントと判定されなかった場合、及びＳ８１５でパスワードの確定が判定された場合には、ステップＳ８１６に進む。
【００８７】
次に、ステップＳ８１６で、プリントジョブの実行指示として、出力ジョブ情報を画像形成装置１０１に送信した後に、このフローチャートを終了する。
【００８８】
尚、ステップＳ８０６で、プリントが選択されなかった場合、及びステップＳ８０８で、プリント出力が選択されなかった場合には、ステップＳＴ８１７が実行される。ステップＳ８１７では、操作部５０４に他の処理設定画面を表示する。ユーザは、その画面を用いて所定の操作を行うことで、ステップＳ８１８において、他の処理が実行される。
【００８９】
図１１は、出力ジョブ情報を示す。
出力ジョブ情報１１００は、プリント出力を実行する留め置きジョブ情報のことであり、プリント出力を行うジョブに係るジョブ名、ユーザ名、及びジョブ種類の属性を備える。各属性は、留め置きジョブ情報９００と同じである。また、ジョブ種類がセキュアプリントである場合、出力ジョブ情報１１００は、ステップＳ８１５で確定したパスワードに対応する入力パスワード情報１１０１を備える。
【００９０】
＜モバイル端末からの指示に基づく画像形成装置のセキュアプリント出力＞
図１２は、画像形成装置が実行するフローチャートを示す。
このフローチャートは、モバイル端末１０５からの指示に基づき、画像形成装置１０１がセキュアプリント出力する場合のフローチャートである。
【００９１】
このフローチャートに示す処理は、特記無き場合は、画像形成装置１０１のＨＤＤ２０８内に予め記憶されているプログラムをＣＰＵ２０１がＤＲＡＭ２０２に展開して実行するものとする。また、このフローチャートは、画像形成装置１０１が起動後、モバイル端末１０５と接続処理を開始できる状態にあることを条件に開始されるものとする。
【００９２】
まず、ステップＳ１２０１で、モバイル端末１０５と無線通信が確立されているか否かを判定する。無線通信を確立するための処理は、上述のステップＳ８０１〜Ｓ８０３の処理で説明した、モバイル端末１０５が行う無線接続を確立するための処理と同じであるため、ここでの説明を省略する。無線通信が確立された場合には、ステップＳ１２０２に進む。
【００９３】
次に、ステップＳ１２０２で、モバイル端末１０５からの操作指示があったか否かを判定する。モバイル端末１０５からの操作指示が検出された場合には、ステップＳ１２０３に進む。ステップＳ１２０３で、その操作指示が、プリントジョブ情報の問い合わせであることを判定すると、ステップＳ１２０４に進み、問い合わせの応答処理として留め置きジョブ情報９００をモバイル端末１０５に送信する。
【００９４】
次に、ステップＳ１２０５で、モバイル端末１０５からのプリントジョブ実行指示を受信したか否かを判定する。モバイル端末１０５からのプリントジョブ実行指示を受信した場合には、ステップＳ１２０６で、モバイル端末１０５からの出力ジョブ情報１１００に基づきプリント出力するジョブを取得する。
【００９５】
次に、ステップＳ１２０７で、プリント出力の対象となるジョブのジョブ種類に基づき、当該プリントジョブがセキュアプリントであるか否かを判定する。当該プリントジョブがセキュアプリントである場合には、ステップＳ１２０８に進み、出力ジョブ情報１１００に基づき入力パスワード１１０１を取得する。また、ステップＳ１２０９で、ステップＳ１２０８で取得した入力パスワード１１０１の判定を行う。
【００９６】
この判定は、出力ジョブ情報１１００のセキュアプリントジョブの属性情報に基づき、留め置きジョブ情報９００から対応するジョブを検索し、対応するジョブのパスワード９０１と入力パスワード１１０１とを比較する処理である。ここで、パスワード９０１は、プリントジョブ送信時に、ステップＳ６０９で設定したパスワードのことであり、入力パスワード１１０１は、プリント出力時に、ステップＳ８１５で入力したパスワードのことである。
【００９７】
そして、ステップＳ１２１０で、両パスワードが一致するか否かを判定する。両パスワードが一致する場合には、ステップＳ１２１１に進み、当該ジョブのプリント出力を実行した後にこのフローチャートを終了する。一方、両パスワードが一致しない場合には、ステップＳ１２１２に進み、エラー処理を行った後にこのフローチャートを終了する。
【００９８】
エラー処理は、例えば、モバイル端末１０５の操作部５０４にエラー表示画面を表示し、再度、パスワード入力を促す処理のことである。また、エラー処理は、画像形成装置１０１の操作部２０３が備えるステータスＬＥＤ３３５を予め定めたエラーを示す色で点灯させたり、又は点滅パターンで点灯させたりしてもよい。
【００９９】
尚、ステップＳ１２０３で、留め置きジョブ情報の問い合わせ以外の操作指示を検出した場合には、ステップＳＴ１２１３が実行される。ステップＳ１２１３では、操作部５０４に他の処理設定画面を表示する。ユーザは、その画面を用いて所定の操作を行うことで、ステップＳ１２１４において、他の処理が実行される。
【０１００】
以上、説明したように、第１の実施例によれば、モバイル端末１０５から画像形成装置１０１に送信され、かつ留め置かれたセキュアプリントジョブを、モバイル端末１０５からのパスワードの入力によりプリント出力することが可能となる。
【０１０１】
・  第２の実施例
＜画像形成装置のボタン情報に基づくパスワード設定＞
第１の実施例では、セキュアプリントジョブの設定／送信、及びセキュアプリントジョブのプリント出力を、それぞれモバイル端末１０５から行うことで、画像形成装置１０１がテンキーを有さなくてもセキュアプリントを実現する技術を説明した。
【０１０２】
これに対し、第２の実施例では、セキュアプリントジョブのパスワード設定を画像形成装置１０１のボタン情報に基づき行う技術を説明する。この場合、セキュアプリントジョブのプリント出力を画像形成装置１０１で行っても、入力パスワードは、画像形成装置１０１の操作ボタンで行えるため、ユーザの負担なく、簡易にセキュアプリントを実現できる。
【０１０３】
尚、第２の実施例では、プリントジョブを送信するジョブ送信装置は、モバイル端末１０５に限定されることはなく、ＰＣ１０２であってもよい。ＰＣ１０２の構成要素については、モバイル端末１０５の構成要素、即ち、図５と同じであるため、その説明を省略する。また、以下の説明においては、第１の実施例と異なる構成要素を説明し、第１の実施例と同じ構成要素については、同じ符号を付すことによりその説明を省略する。
【０１０４】
まず、図１３を用いて、本実施例で追加される画像形成装置１０１の操作部２０３の構成要素を説明する。
【０１０５】
図１３は、画像形成装置の操作部のレイアウトを示す。
図１３は、図４に対応する。本例においても、操作部２０３の一部は、液晶パネルなどの表示部であってもよい。
【０１０６】
操作部２０３は、ジョブ実行時に使用するコピー、スキャン、及び、プリントの各ボタン３０１〜３０３に加え、ＦＡＸ（ファックス）実行時に使用するファックスボタン１３０１、及びファックスボタン１３０１を発光させるための発光部１３１１を備える。即ち、ユーザが、コピー、スキャン、プリント、及びファックスの各ボタン３０１〜３０３、１３０１を押下すると、画像形成装置１０１が備える処理フローに基づき各処理が実行される。
【０１０７】
次に、図１４を用いて、本実施例において、ＰＣ１０２、モバイル端末１０５などのジョブ送信装置がセキュアプリントでパスワード設定に用いる操作ボタン、及び画像形成装置１０１がセキュアプリントでパスワード入力に用いる操作ボタンの例を説明する。
【０１０８】
図１４は、パスワードに使用可能なボタン情報を示す。
このボタン情報は、例えば、ＰＣ１０２内にインストールされたプリンタドライバが、印刷指定可能な機種毎に、即ち、画像形成装置１０１毎に取得され、かつＲＡＭ５０３内に記憶される。
【０１０９】
ボタン情報１４０１は、機種情報１４０２と、セキュアプリント時にパスワードの設定／入力に使用可能なボタン情報１４０３と、を含む。本例では、機種情報１４０２は、３機種、即ち、ＭＦＰ１  １４１０、ＭＦＰ２  １４１１、ＭＦＰ３  １４１２を備える。また、ＭＦＰ１  １４１０及びＭＦＰ２  １４１１のボタン情報は、ＣＯＰＹ（コピーボタン）、ＳＣＡＮ（スキャンボタン）、及び、ＰＲＩＮＴ（プリントボタン）である。ＭＦＰ３  １４１２のボタン情報は、ＣＯＰＹ（コピーボタン）、ＳＣＡＮ（スキャンボタン）、ＰＲＩＮＴ（プリントボタン）、及びＦＡＸ（ファックスボタン）である。
【０１１０】
従って、プリント設定において、出力プリンタとしてＭＦＰ１  １４１０を選択し、かつ出力方法としてセキュアプリントを選択した場合には、ユーザは、ＣＯＰＹ、ＳＣＡＮ、及びＰＲＩＮＴの３つの操作ボタンの組み合わせでパスワードを設定できる。即ち、ユーザは、これら３つの操作ボタンの押下の順序により簡易にパスワードを設定できる。同様に、プリント設定において、出力プリンタとしてＭＦＰ３  １４１２を選択し、かつ出力方法としてセキュアプリントを選択した場合には、ユーザは、ＣＯＰＹ、ＳＣＡＮ、ＰＲＩＮＴ、及びＦＡＸの４つの操作ボタンの組み合わせでパスワードを設定できる。
【０１１１】
＜ＰＣからのプリントジョブ送信＞
次に、図１５乃至図１８を用いて、ＰＣから画像形成装置にセキュアプリントジョブを投入し、かつ画像形成装置を用いてセキュアプリントジョブのプリント出力を指示する処理を説明する。尚、ＰＣにインストールされるプリンタドライバは、少なくともテンキーを有さない簡易操作部を備えた複数機種の画像形成装置１０１に対応するものとする。
【０１１２】
図１５は、プリンタドライバの操作画面を示す。
図１５（Ａ）において、画面１５０１は、ユーザがＰＣ１０２から所定のアプリケーションで開いた文章をプリント指示した場合に、ＰＣ１０２のディスプレイに表示される画面である。画面１５０１は、出力するプリンタ名を指示するプルダウンメニュー１５０２、詳細設定の画面を開く詳細設定ボタン１５０３、入力ボックス、その他の設定を指示するボタンなどを含む。本実施例では、この画面１５０１において、ユーザは、プリンタ名としてＭＦＰ３を選択するものとする。
【０１１３】
図１５（Ｂ）において、画面１５１１は、画面１５０１よりも詳細なプリント設定を指示するための画面である。この画面１５１１は、画面１５０１の詳細設定ボタン１５０３を押下することで開くことができる。画面１５１１は、出力方法を指定するプルダウンメニュー１５１２を含む。本実施例では、この画面１５１１において、ユーザは、プルダウンメニューからセキュアプリントを選択するものとする。
【０１１４】
尚、ユーザは、画面１５１１において、その他の処理方法を指定した後、確定ボタン１５１３を押下する。確定ボタン１５１３が押下されると、画面１５１１から画面１５０１に戻る。また、ユーザは、画面１５０１において、確定ボタン１５０４を押下する。確定ボタン１５０４が押下されると、プリンタドライバによる設定が確定する。
【０１１５】
図１６は、ジョブ送信装置が実行するフローチャートを示す。
このフローチャートは、ユーザがＰＣ１０２を用いてプリントしたい文書ファイルを選択し、かつ選択された文書ファイルがセキュアプリントジョブとして画像形成装置に送信される場合のフローチャートである。
【０１１６】
このフローチャートに示す処理は、ユーザがプリンタドラバの画面１５０１の確定ボタン１５０４を押下した後に、ＰＣ１０２内のＣＰＵが実行する。
【０１１７】
まず、ステップＳ１６０１で、出力方法１５１２としてセキュアプリントが選択されたか否かを判定する。出力方法１５１２がセキュアプリントである場合には、ステップＳ１６０２に進み、そうでない場合には、ステップＳ１６０８に進む。
【０１１８】
次に、ステップＳ１６０２で、ＣＰＵのボタン情報取得部を用いて、出力指定プリンタの操作ボタンに関するボタン情報を取得する。例えば、出力指定プリンタ、即ち、図１５（Ａ）のプリンタ名がＭＦＰ３である場合には、画像形成装置１０１としてのＭＦＰ３からボタン情報１４２０として、ＣＯＰＹ、ＳＣＡＮ、ＰＲＩＮＴ、及びＦＡＸを取得する。ボタン情報を取得したら、ステップＳ１６０３に進む。
【０１１９】
次に、ステップＳ１６０３で、ステップＳ１６０２で取得されたボタン情報に基づき、セキュアプリントにおけるパスワード入力画面をＰＣ１０２のディスプレイに表示する。ここで、ステップＳ１６０３で表示するパスワード入力画面の例を図１７に示す。図１７において、画面１７０１は、プリント指示されたセキュアプリントジョブの各種設定を入力する画面である。この画面１７０１は、パスワードを表示するテキストボックス１７０２と、パスワード入力に使用可能な操作ボタン１７０３と、を備える。
【０１２０】
パスワード入力に使用可能な操作ボタン１７０３は、ステップＳ１６０３で取得した出力するプリンタのボタン情報に基づき表示される。本例では、パスワード入力に使用可能な操作ボタン１７０３は、４種類存在する。即ち、ステップＳ１６０２で取得したボタン情報に基づき、ＣＯＰＹ、ＳＣＡＮ、ＰＲＩＮＴ、及び、ＦＡＸの各ボタンがパスワード入力のための操作ボタン１７０３として画面１７０１に表示される。ユーザは、この４種類の操作ボタンの押下の順序（組み合わせ）を変更することで、様々なパスワードを設定可能となる。
【０１２１】
パスワードの長さ、即ち、パスワード入力に使用可能な操作ボタン１７０３の押下回数は、可変（但し、最大数は決まっている）でもよいし（可変長）、固定であってもよい（固定長）。また、ユーザが入力済のパスワードの長さに応じて、テキストボックス１７０２に黒丸が表示される。
【０１２２】
尚、本実施例では、パスワードの長さは、４入力（ボタン列）の固定長とする。また、パスワードの長さは、予め、画像形成装置１０１とＰＣ１０２との間で共有されているものとする。さらに、パスワードの長さが４入力（ボタン列）である場合、パスワードの組み合わせとしては、４×４×４×４＝２５６通り存在することになる。
【０１２３】
図１６のフローチャートの説明に戻る。
次に、ステップＳ１６０４で、ステップＳ１６０３で表示した画面１７０１の確定ボタン１７０４が押下されたか否かを検出する。確定ボタンの押下が検出された場合には、ステップＳ１６０５に進み、テキストボックス１７０２の入力が所定数（固定長）行われたか否かを判定する。例えば、テキストボックス１７０２内に、ＰＲＩＮＴ→ＳＣＡＮ→ＳＣＡＮ→ＦＡＸの順序でパスワードが入力され、かつ確定ボタン１７０４が押下された場合には、ステップＳ１６０６に進む。
【０１２４】
次に、ステップＳ１６０６で、プリントジョブに、ステップＳ１６０４〜Ｓ１６０５で確定されたパスワードを設定する。続けて、ＣＰＵ内の通信部を用いて、当該パスワードが設定されたプリントジョブを、セキュアプリントとして、プリンタ名１５０２で選択された画像形成装置（ＭＦＰ３）１０１に送信した後に、このフローチャートを終了する。
【０１２５】
尚、パスワードが設定されたプリントジョブは、画像形成装置（ＭＦＰ３）１０１において、直ちにプリント出力することなく、ＣＰＵ２０１の留め置き部により一時的に留め置かれる。
【０１２６】
一方、ステップＳ１６０５で、テキストボックス１７０２の入力が所定数（固定長）行われていないと判定された場合には、ステップＳ１６０７に進み、パスワードの再入力を促す画面を表示した後に、ステップＳ１６０４に戻る。ここで、ステップＳ１６０７からステップＳ１６０４に戻る場合には、ステップＳ１６０４で、テキストボックス１７０２をクリアした画面１７０１を再び表示する。
【０１２７】
また、ステップＳ１６０１で、出力方法１５１２がセキュアプリントでないと判定された場合には、ステップＳ１６０８で、出力方法１５１２で指定された処理とは異なる他の処理を行う。
【０１２８】
＜画像形成装置を用いたセキュアプリント出力指示＞
図１８は、画像形成装置が実行するフローチャートを示す。
このフローチャートは、ユーザが画像形成装置１０１を用いてプリント出力したい文書ファイルを選択し、かつ選択された文書ファイルを画像形成装置１０１からプリント出力する場合のフローチャートである。
【０１２９】
このフローチャートは、ＰＣ１０２が送信したセキュアプリントジョブを画像形成装置１０１が受信し、かつ画像形成装置１０１が、ユーザ認証を終えた状態で、ＣＰＵ２０１がＨＤＤ２０８からＤＲＡＭ２０２に展開したプログラムに基づき実行する。
【０１３０】
まず、ステップＳ１８０１で、操作部２０３のプリントボタン３０３の押下が検出されたか否かを判定する。プリントボタン３０３の押下が検出された場合には、ステップＳ１８０２に進み、ＣＰＵ２０１のパスワード入力部により、ユーザに対してパスワードの入力を求める。例えば、パスワード入力部は、パスワード入力に使用するボタン情報に基づき、パスワード入力に使用するボタンを点灯する。
【０１３１】
ここで、ボタン情報は、ボタン情報１４０１に示すＭＦＰ３  １４１２のボタン情報１４２０と同じであり、かつ画像形成装置１０１のＨＤＤ２０８内に予め記憶されている。ＣＰＵ２０１は、ボタン情報をＨＤＤ２０８から取得する。
【０１３２】
本実施例では、ＭＦＰ３  １４１２のボタン情報１４２０は、ＣＯＰＹ、ＳＣＡＮ、ＰＲＩＮＴ、及びＦＡＸの４種類の操作ボタンを示す。即ち、セキュアプリントのプリント出力時において、パスワードの入力は、この４種類の操作ボタンを用いて行うことになり、これら４種類の操作ボタンが、ＬＥＤ３１１〜３１３、１３１１により点灯される。
【０１３３】
ユーザは、画像形成装置１０１において、これらＬＥＤ３１１〜３１３、１３１１による点灯により、パスワード入力に使用可能な操作ボタンを容易に認識できる。即ち、パスワード入力に使用可能な操作ボタンは、コピーボタン（ＣＯＰＹ）３０１、スキャンボタン（ＳＣＡＮ）３０２、プリントボタン（ＰＲＩＮＴ）３０３、及びファックスボタン（ＦＡＸ）１３０１となる。
【０１３４】
次に、ステップＳ１８０３で、パスワード入力が完了したか否かを判定する。例えば、ステップＳ１８０２で取得したボタン情報に基づき、予め定めたパスワードの長さ（ボタン列）だけ、パスワード入力に使用可能な操作ボタンが押下されたか否かを判定する。ここでは、パスワード入力に使用可能な操作ボタンが４回押下された場合には、パスワード入力が完了したと判定し、ステップＳ１８０４に進む。
【０１３５】
次に、ステップＳ１８０４で、入力されたパスワードに基づき、セキュアプリントジョブとして留め置き部に留め置かれたジョブに紐づくパスワードを走査する。本実施例では、ログイン認証が有効であるため、認証済ユーザに係るセキュアプリントジョブのみを走査すればよい。そして、ステップＳ１８０５で、ＣＰＵ２０１のプリント出力部により、入力されたパスワードと一致するパスワードを備えたセキュアプリントジョブの有無を判定する。
【０１３６】
入力されたパスワードと一致するパスワードを備えたセキュアプリントジョブがあれば、ステップＳ１８０６に進み、当該ジョブをプリント出力した後に、このフローチャートを終了する。一方、入力されたパスワードと一致するパスワードを備えたセキュアプリントジョブがなければ、ステップＳ１８０７に進み、プリント出力を行わずに、このフローチャートを終了する。
【０１３７】
以上、第２の実施例によれば、テンキーを有さない操作部２０３を備える画像形成装置１０１と、当該画像形成装置１０１にプリントジョブを送信するジョブ送信装置と、を備える印刷システムにおいて、セキュアプリントを実現できる。即ち、ユーザは、ＰＣ１０２、モバイル端末１０５などのジョブ送信装置において、プリンタドライバにより、当該画像形成装置１０１の操作部２０３に備えられた操作ボタンを利用して、プリントジョブにパスワードを設定できる。
【０１３８】
この場合、パスワードが設定された当該プリントジョブは、プリンタドライバにより、ＰＣ１０２又はモバイル端末１０５から画像形成装置１０１に送信される。一方、ユーザは、画像形成装置１０１において、操作部２０３に備えられた操作ボタンによりパスワードを入力できる。従って、画像形成装置は、入力されたパスワードと一致するパスワードを備えるセキュアプリントジョブが存在する場合には、当該ジョブをプリント出力することができる。
【０１３９】
このように、本発明によれば、少なくともテンキーを有さない操作部２０３を備える画像形成装置１０１と、当該画像形成装置１０１にプリントジョブを送信するジョブ送信装置と、を備える印刷システムにおいて、セキュアプリントを実現することができる。
【０１４０】
（その他の実施形態）
尚、本発明は、上述の第１及び第２の実施例に限定されるものではない。
例えば、セキュアプリントのパスワード（操作ボタンの押下の順序）は、ユーザが入力するものとしたが、プリンタドライバが自動的に決定してもよい。この場合、プリンタドライバは、出力指定されたプリンタ名１５０２に係る画像形成装置１０１内に既に留め置かれているセキュアプリントに設定されたパスワードと重複しないパスワードを自動的に生成する。
【０１４１】
このようなパスワードの自動生成機能は、ログイン認証機能を備えていない画像形成装置１０１に有効である。即ち、本発明は、ログイン認証機能を備えた画像形成装置１０１のみならず、ログイン認証機能を備えていない画像形成装置１０１にも適用可能である。
【０１４２】
尚、パスワードを自動的に生成する場合には、例えば、ステップＳ１６０３〜Ｓ１６０７で行うプリンタドライバによるパスワード入力処理の代わりに、プリンタドライバによるパスワードの自動生成処理を行えばよい。これにより、ログイン認証機能を備えていない画像形成装置１０１でセキュアプリント出力を行うときに、異なる複数のユーザが同じパスワードを設定してしまう事態を回避できる。即ち、あるユーザが他のユーザのセキュアプリントジョブをプリント出力してしまうことがない。
【０１４３】
本発明は、上述の１つ以上の機能を実現するプログラムを、ネットワーク又は記憶媒体を介してシステム／装置に供給し、そのシステム／装置のコンピュータにおける１つ以上のプロセッサが該プログラムを実行する場合にも適用可能である。また、本発明は、上述の１つ以上の機能を所定の回路（例えば、ＡＳＩＣ）によって実現することも可能である。
【０１４４】
（むすび）
以上、説明したように、本発明によれば、少なくともテンキーを有さない操作部を備える画像形成装置と、当該画像形成装置にプリントジョブを送信するジョブ送信装置と、を備える印刷システムにおいて、セキュアプリントを実現することができる。
【０１４５】
本発明は、上述の実施形態に限定されず、その要旨の範囲内で種々の変形及び変更が可能である。
【符号の説明】
【０１４６】
１０１  画像形成装置
１０２  ＰＣ
１０３  アクセスポイント
１０４  ＬＡＮ
１０５  モバイル端末
２０３  操作部
【図１】
2019199070.tif 000003
【図２】
2019199070.tif 000004
【図３】
2019199070.tif 000005
【図４】
2019199070.tif 000006
【図５】
2019199070.tif 000007
【図６】
2019199070.tif 000008
【図７】
2019199070.tif 000009
【図８】
2019199070.tif 000010
【図９】
2019199070.tif 000011
【図１０】
2019199070.tif 000012
【図１１】
2019199070.tif 000013
【図１２】
2019199070.tif 000014
【図１３】
2019199070.tif 000015
【図１４】
2019199070.tif 000016
【図１５】
2019199070.tif 000017
【図１６】
2019199070.tif 000018
【図１７】
2019199070.tif 000019
【図１８】
2019199070.tif 000020